(57)【要約】【課題】表示装置において、プリント基板の幅方向にスペースを確保する。【解決手段】表示装置であって、マトリクス状に配置された複数の画素を含む表示領域と、前記表示領域に沿った第１の方向に並べて配置された複数のソースドライバと、前記表示領域に沿った第２の方向に並べて配置された複数のゲートドライバと、を含むＴＦＴ基板と、前記複数のソースドライバ及び前記複数のゲートドライバを制御するタイミングコントローラを含むプリント基板と、前記ＴＦＴ基板の端部から前記プリント基板に向かって延伸するように配置され、前記ＴＦＴ基板と前記プリント基板とを接続する、複数のフレキシブル基板と、を含み、前記複数のフレキシブル基板は、前記第２の方向に対して、一方の側に斜めに延伸する複数の第１のフレキシブル基板と、他方の側に斜めに延伸する複数の第２のフレキシブル基板を含む、ことを特徴とする。【選択図】図９
2014186162.tif 000002
【特許請求の範囲】
【請求項１】
マトリクス状に配置された複数の画素を含む表示領域と、前記表示領域に沿った第１の方向に並べて配置された複数のソースドライバと、前記表示領域に沿った第２の方向に並べて配置された複数のゲートドライバと、を含むＴＦＴ基板と、
前記複数のソースドライバ及び前記複数のゲートドライバを制御するタイミングコントローラを含むプリント基板と、
前記ＴＦＴ基板の端部から前記プリント基板に向かって延伸するように配置され、前記ＴＦＴ基板と前記プリント基板とを接続する、複数のフレキシブル基板と、を含み、
前記複数のフレキシブル基板は、前記第２の方向に対して、一方の側に斜めに延伸する複数の第１のフレキシブル基板と、他方の側に斜めに延伸する複数の第２のフレキシブル基板を含む、
ことを特徴とする表示装置。
【請求項２】
前記複数の第１及び第２のフレキシブル基板は、前記第２の方向に沿って、前記プリント基板の中央を通る中央線に対して、対称となるように配置されることを特徴とする請求項１記載の表示装置。
【請求項３】
前記タイミングコントローラの両側には、前記タイミングコントローラから遠ざかるように、それぞれ前記第１のフレキシブル基板及び前記第２のフレキシブル基板が配置されることを特徴とする請求項１または２記載の表示装置。
【請求項４】
前記タイミングコントローラの両側には、それぞれ前記第１のフレキシブル基板が配置されることを特徴とする請求項１記載の表示装置。
【請求項５】
前記プリント基板は、更に、コネクタを有し、
前記コネクタの両側には、前記コネクタから遠ざかるように、前記第１のフレキシブル基板及び前記第２のフレキシブル基板が配置されることを特徴とする請求項１乃至４のいずれかに記載の表示装置。
【請求項６】
前記コネクタと前記タイミングコントローラとの間には、前記第１のフレキシブル基板が配置されることを特徴とする請求項５記載の表示装置。
【請求項７】
前記複数の第１のフレキシブル基板及び第２のフレキシブル基板はともに、略平行四辺形の形状を有することを特徴とする請求項１乃至６のいずれかに記載の表示装置。
【請求項８】
前記第１のフレキシブル基板及び第２のフレキシブル基板が前記第２の方向に対して有する角度は、略同一であることを特徴とする請求項１乃至７のいずれかに記載の表示装置。
【請求項９】
前記複数のフレキシブル基板は、更に、前記第２の方向に沿って延伸する１または複数の第３のフレキシブル基板を含むことを特徴とする請求項１乃至８のいずれかに記載の表示装置。
【請求項１０】
前記プリント基板の走査方向の幅の一部が前記ＴＦＴ基板の幅よりも小さいことを特徴とする請求項１乃至９のいずれかに記載の表示装置。
【請求項１１】
前記各第１のフレキシブル基板の形状と前記各第２のフレキシブル基板の形状は、対称であることを特徴とする請求項１乃至１０のいずれかに記載の表示装置。
【発明の詳細な説明】
【技術分野】
【０００１】
本発明は、表示装置に関する。
【背景技術】
【０００２】
例えば、下記特許文献１に開示の液晶表示モジュールは、画素領域を含む液晶表示パネルと、当該液晶表示パネル光を照射するバックライトユニットと、当該液晶表示パネルを制御するための制御信号を供給するための複数のフレキシブル基板と、液晶表示パネルを駆動する駆動回路が形成されるプリント基板とを含む。ここで、上記画素領域の周辺には、複数のゲートドライバや複数のソースドライバが配置される。また、液晶表示モジュールは、当該ゲートドライバ毎に設けられた上記複数のフレキシブル基板を介して、プリント基板と接続される。
【先行技術文献】
【特許文献】
【０００３】
【特許文献１】特開２００９−２２９５１０号公報
【発明の概要】
【発明が解決しようとする課題】
【０００４】
例えば、上記のような液晶表示モジュールをハウジングに実装する場合、上記プリント基板の幅方向に、他の部品等を配置するためのスペースを確保したい場合がある。具体的には、例えば、液晶表示モジュールをいわゆるノートパソコンやラップトップパソコンに実装する場合、キーボードが配置される部分と液晶パネルが配置された部分とを折り畳むためのヒンジを設けるスペースを、プリント基板の両側に確保したい場合がある。
【０００５】
そこで、本発明は、ＴＦＴ基板に沿って配置されるプリント基板の幅方向に他の部品を配置するためのスペースを確保することのできる表示装置を提供することを目的とする。
【課題を解決するための手段】
【０００６】
（１）本発明の表示装置は、マトリクス状に配置された複数の画素を含む表示領域と、前記表示領域に沿った第１の方向に並べて配置された複数のソースドライバと、前記表示領域に沿った第２の方向に並べて配置された複数のゲートドライバと、を含むＴＦＴ基板と、前記複数のソースドライバ及び前記複数のゲートドライバを制御するタイミングコントローラを含むプリント基板と、前記ＴＦＴ基板の端部から前記プリント基板に向かって延伸するように配置され、前記ＴＦＴ基板と前記プリント基板とを接続する、複数のフレキシブル基板と、を含み、前記複数のフレキシブル基板は、前記第２の方向に対して、一方の側に斜めに延伸する複数の第１のフレキシブル基板と、他方の側に斜めに延伸する複数の第２のフレキシブル基板を含む、ことを特徴とする。
【０００７】
（２）上記（１）に記載の表示装置において、前記複数の第１及び第２のフレキシブル基板は、前記第２の方向に沿って、前記プリント基板の中央を通る中央線に対して、対称となるように配置されることを特徴とする。
【０００８】
（３）上記（１）または（２）に記載の表示装置において、前記タイミングコントローラの両側には、前記タイミングコントローラから遠ざかるように、それぞれ前記第１のフレキシブル基板及び前記第２のフレキシブル基板が配置されることを特徴とする。
【０００９】
（４）上記（１）に記載の表示装置において、前記タイミングコントローラの両側には、それぞれ前記第１のフレキシブル基板が配置されることを特徴とする。
【００１０】
（５）上記（１）乃至（４）のいずれかに記載の表示装置において、前記プリント基板は、更に、コネクタを有し、前記コネクタの両側には、前記コネクタから遠ざかるように、前記第１のフレキシブル基板及び前記第２のフレキシブル基板が配置されることを特徴とする。
【００１１】
（６）上記（５）に記載の表示装置において、前記コネクタと前記タイミングコントローラとの間には、前記第１のフレキシブル基板が配置されることを特徴とする。
【００１２】
（７）上記（１）乃至（６）のいずれかに記載の表示装置において、前記複数の第１のフレキシブル基板及び第２のフレキシブル基板はともに、略平行四辺形の形状を有することを特徴とする。
【００１３】
（８）上記（１）乃至（７）のいずれかに記載の表示装置において、前記第１のフレキシブル基板及び第２のフレキシブル基板が前記第２の方向に対して有する角度は、略同一であることを特徴とする。
【００１４】
（９）上記（１）乃至（８）のいずれかに記載の表示装置において、前記複数のフレキシブル基板は、更に、前記第２の方向に沿って延伸する１または複数の第３のフレキシブル基板を含むことを特徴とする。
【００１５】
（１０）上記上記（１）乃至（９）のいずれかに記載の表示装置において、前記プリント基板の走査方向の幅の一部が前記ＴＦＴ基板の幅よりも小さいことを特徴とする。
【００１６】
（１１）上記上記（１）乃至（１０）のいずれかに記載の表示装置において、前記各第１のフレキシブル基板の形状と前記各第２のフレキシブル基板の形状は、対称であることを特徴とする。
【図面の簡単な説明】
【００１７】
【図１】第１の実施形態における表示装置の概略を示す図である。
【図２】図１に示したＴＦＴ基板上に形成された画素回路の概念図である。
【図３】第１の実施形態における表示パネルについて説明するための図である。
【図４】図３に示した表示パネルの上面の概略を示す図である。
【図５】ハウジングに格納された際におけるプリント基板の配置について説明するための図である。
【図６】第１の実施形態の変形例について説明するための図である。
【図７】第２の実施形態について説明するための図である。
【図８】第３の実施形態について説明するための図である。
【図９】第４の実施形態について説明するための図である。
【発明を実施するための形態】
【００１８】
以下、本発明の実施形態について、図面を参照しつつ説明する。なお、図面については、同一又は同等の要素には同一の符号を付し、重複する説明は省略する。
【００１９】
[第１の実施形態]
図１は、本発明の第１の実施形態における表示装置の概略を示す図である。図１に示すように、表示装置１００は、主に、ＴＦＴ（Thin Film Transistor）等（図示せず）が形成されたＴＦＴ基板１０２と、当該ＴＦＴ基板１０２に対向し、カラーフィルタ（図示せず）が設けられたフィルタ基板１０１を有する。
【００２０】
また、表示装置１００は、ＴＦＴ基板１０２及びフィルタ基板１０１に挟まれた領域に封入された液晶材料（図示せず）と、ＴＦＴ基板１０２のフィルタ基板１０１側と反対側に接して位置するバックライト１０３を有する。
【００２１】
なお、表示装置１００は、ＴＦＴ基板１０２に接続される複数のフレキシブル基板や、当該複数のフレキシブル基板を介してＴＦＴ基板１０２に接続されるプリント基板等を含むが、これらについては後述する。また、図１に示した表示装置の概略は一例であって、本実施の形態はこれに限定されるものではない。
【００２２】
図２は、図１に示したＴＦＴ基板上に形成された画素回路の概念図である。図２に示すように、ＴＦＴ基板１０２は、図２の横方向に略等間隔に配置した複数のゲート信号線１０５と、図２の縦方向に略等間隔に配置した複数の映像信号線１０７を有する。また、ゲート信号線１０５は、ゲートドライバ１０６に接続され、また、映像信号線１０７は、ソースドライバ１０４に接続される。
【００２３】
ゲートドライバ１０６は、複数のゲート信号線１０５それぞれに対応する複数の基本回路（図示せず）を有する。なお、各基本回路は、複数のＴＦＴや容量を含んで構成され、１フレーム期間のうち、対応するゲート走査期間（信号ハイ期間）にはハイ電圧となり、それ以外の期間（信号ロー期間）にはロー電圧となるゲート信号を、対応するゲート信号線１０５に出力する。
【００２４】
ゲート信号線１０５及び映像信号線１０７によりマトリクス状に区画された各画素領域１３０は、それぞれ、ＴＦＴ１０９、画素電極１１０、及び、コモン電極１１１を有する。ここで、ＴＦＴ１０９のゲートは、ゲート信号線１０５に接続され、ソース又はドレインの一方は、映像信号線１０７に接続され、他方は、画素電極１１０に接続される。また、コモン電極１１１は、コモン信号線１０８に接続される。なお、画素電極１１０とコモン電極１１１は、互いに対向するように配置される。また、各画素領域１３０により表示領域が形成される。
【００２５】
次に、上記のように構成された画素回路の動作の概要について説明する。ソースドライバ１０４は、コモン信号線１０８を介して、コモン電極１１１に、基準電圧を印加する。また、ソースドライバ１０４により制御されるゲートドライバ１０６は、ゲート信号線１０５を介して、ＴＦＴ１０９のゲートに、ゲート信号を出力する。更に、ソースドライバ１０４は、ゲート信号が出力されたＴＦＴ１０９に、映像信号線１０７を介して、映像信号の電圧を供給し、当該映像信号の電圧は、ＴＦＴ１０９を介して、画素電極１１０に印加される。この際、画素電極１１０とコモン電極１１１との間に電位差が生じる。
【００２６】
そして、ソースドライバ１０４が、当該電位差を制御することにより、液晶材料の液晶分子の配光を制御する。ここで、液晶材料には、バックライト１０３からの光が案内されていることから、上記のように液晶分子の配光等を制御することにより、バックライト１０３からの光の量を調節でき、結果として、画像を表示することができる。なお、図２に示した画素回路の構成は一例にすぎず、その他の構成であってもよいことはいうまでもない。
【００２７】
次に、主に、本実施の形態における表示装置のＴＦＴ基板と、プリント基板、フレキシブル基板について、より具体的に説明する。
【００２８】
図３は、本実施の形態における表示パネルについて説明するための図である。具体的には、図３は、表示パネル３００の概略を示す斜視図である。また、図４は、図３に示した表示パネル３００の上面の概略を示す図である。
【００２９】
図３に示すように、表示パネル３００は、主に、ＴＦＴ基板１０２と、フィルタ基板１０１と、複数のフレキシブル基板３０３と、プリント基板３０４と、を含む。ここで、上記のように、ＴＦＴ基板１０２は、フィルタ基板１０１に対向して配置され、ＴＦＴ基板１０２とフィルタ基板１０１との間には、液晶材料が封入される。なお、フィルタ基板１０１は、カラーフィルタ（図示なし）や偏光板３０５を含むが、フィルタ基板１０１については周知であるため、詳細な説明については説明を省略する。
【００３０】
図３及び図４に示すように、ＴＦＴ基板１０２の長手方向の幅は、フィルタ基板１０１の長手方向の幅よりも広い。具体的には、ＴＦＴ基板１０２は、ゲート信号線１０５に沿った方向（図４の横方向）、及び、映像信号線に沿った方向（図４の縦方向）に、それぞれ額縁領域を有する。なお、下記においては、上記ゲート信号線１０５に沿った方向を第１の方向、上記映像信号線１０７に沿った方向を第２の方向と称する。
【００３１】
当該額縁領域３０６には、第１の方向に沿って複数のソースドライバ１０４が並べて配置される、また、第２の方向に沿って複数のゲートドライバ１０６が並んで配置される。ここで、複数のソースドライバ１０４やゲートドライバ１０６は、それぞれＩＣ(Integrate Circuit)で形成される。
【００３２】
また、ＴＦＴ基板１０２は、複数のフレキシブル基板３０３を介して、プリント基板３０４に接続される。当該複数のフレキシブル基板３０３は、一端がそれぞれ各ソースドライバ１０４に隣接するように配置され、他端がプリント基板３０４に接続される。なお、図３及び図４等においては、上記のように各フレキシブル基板３０３の数が各ソースドライバ１０４に対応する数としたが、異なる数としてもよい。
【００３３】
プリント基板３０４は、図４に示すように、第１の方向に、少なくとも一部の幅がＴＦＴ基板１０２の幅よりも小さい。なお、図４は、プリント基板３０４全体の幅がＴＦＴ基板１０２の幅よりも小さい場合について示すが、当該プリント基板３０４の幅方向のスペース３０７に配置する部品の形状やサイズ等に応じて、プリント基板３０４の一部の幅がＴＦＴ基板１０２よりも小さく形成してもよい。なお、当該スペースの詳細については後述する。また、プリント基板３０４には、図４には示していないが、例えば、ソースドライバ１０４やゲートドライバ１０６等を制御するタイミングコントローラ（T-CON IC）や、プリント基板３０４を他の基板と接続するためのＩ／Ｆコネクタ（コネクタ）が配置される。
【００３４】
複数のフレキシブル基板３０３は、第２の方向（図４の縦方向）に沿った方向に対して、一方の側（図４の右側）に斜めに延伸する複数の第１のフレキシブル基板３０１と、他方の側（図４の左側）に斜めに延伸する複数の第２のフレキシブル基板３０２を含む。
【００３５】
具体的には、例えば、第１のフレキシブル基板３０１と第２のフレキシブル基板３０２とは延伸する側が右側または左側で異なるが、第２の方向に対し略同一の角度を有し、略同一の形状を有する。つまり、第１のフレキシブル基板３０１の形状と第２のフレキシブル基板の形状は対称である。これにより、製造工程またはバックライト１０３により生じる熱収縮によりプリント基板３０４に加わる効力を均一にすることができる。結果として、プリント基板３０４やフレキシブル基板３０３における歪の発生を抑制することができる。より具体的には、例えば、複数のフレキシブル基板３０３は、例えば、略平行四辺形や台形の形状を有する。なお、第１のフレキシブル基板３０１と第２のフレキシブル基板３０２の第２の方向に対する角度が異なるように形成してもよい。
【００３６】
本実施の形態においては、第２の方向におけるプリント基板３０４の中央線から左側には、複数の第１のフレキシブル基板３０１を配置し、右側には、複数の第２のフレキシブル基板３０２を配置する。つまり、第１のフレキシブル基板３０１をＡで表し、第２のフレキシブル基板３０２をＢで表した場合、図４に示すように、ＡＡＡＢＢＢの順に複数のフレキシブル基板３０３を配置する。
【００３７】
これにより、後述するように、第１の方向におけるプリント基板３０４の幅をＴＦＴ基板１０２の幅よりも小さくすることができ、プリント基板３０４の両側に他の部品を配置するためのスペース３０７を確保することができる。なお、図４においては当該スペースの一例を点線の矩形形状３０７で示す。つまり、全てのフレキシブル基板について、ＴＦＴ基板１０２からプリント基板３０４に向かって第２の方向に延伸する矩形形状（例えば後述するフレキシブル基板６０１）のフレキシブル基板を用いた場合には、プリント基板３０４の幅は、ＴＦＴ基板１０２の幅と略同一である必要があるが、本実施の形態によれば、ＴＦＴ基板１０２の幅と比べて、プリント基板３０４の幅を小さくすることができる。
【００３８】
なお、第１のフレキシブル基板３０１と第２のフレキシブル基板３０２の数を同じ数とすることが望ましい。これにより、表示装置１００の製造工程等の簡略化を図ることができる。ただし、複数のフレキシブル基板３０３のうち、第１のフレキシブル基板３０１と第２のフレキシブル基板３０２の数は異なるように構成してもよい。
【００３９】
また、第２の方向に沿ってプリント基板３０４の中央を通る中央線に対して、複数のフレキシブル基板３０３の配置を対称とすることが望ましい。これにより、製造工程またはバックライトにより生じる熱収縮によりプリント基板３０４に加わる応力を均一にすることができる。結果として、プリント基板３０４やフレキシブル基板における歪の発生を抑制することもできる。
【００４０】
上記においては、一例として、ＡＡＡＢＢＢの順に複数のフレキシブル基板３０３を配置する場合について説明したが、例えば、ＡＡＡＢＢＢの他、ＡＡＢＡＢＢ、ＡＢＢＡＡＢ、ＡＢＡＢＡＢのようにプリント基板３０４の中央線に対して、左右対称になるように配置してもよい。左右対称とすることにより、製造工程やバックライト１０３により生じる熱収縮により、プリント基板３０４に加わる応力の均一化を図ることができ、例えば、プリント基板３０４の歪の発生を防止することができる。なお、本実施の形態においては、上記に代えて、非対称となるように配置してもよい。また、プリント基板３０４の両端部については、第１及び第２のフレキシブル基板３０１、３０２を配置して、ＴＦＴ基板１０２よりも幅の狭いプリント基板３０４に接続できるように配置する必要があることはいうまでもない。
【００４１】
図５は、ハウジングに格納された際におけるプリント基板３０４の配置について説明するための図である。具体的には、図５は、図４のＶ−Ｖ断面からみた断面の概略であって、ハウジングに格納された場合の様子の一例を示す。
【００４２】
図５に示すように、表示装置１００は、バックライト１０３、フィルタ基板１０１、ＴＦＴ基板１０２、フレキシブル基板３０３、プリント基板３０４を含む。上記のように、フィルタ基板１０１の表面には、偏光板３０５が配置される。また、ＴＦＴ基板１０２の額縁領域３０６には、ソースドライバ１０４が配置され、当該ソースドライバ１０４に隣接するようにフレキシブル基板３０３の一端が配置される。
【００４３】
フレキシブル基板３０３は、例えば、図４等に示すように、ＴＦＴ基板１０２に沿った方向に延伸した後、図５に記載する表示装置１００の厚み方向でかつバックライト１０３方向に向かい、更に、バックライト１０３の表面に沿った方向にプリント基板３０４が配置されるように折り返される。これにより、バックライト１０３に隣接するように、プリント基板３０４が配置される。
【００４４】
本発明は、上記実施の形態に限定されるものではなく、上記実施の形態で示した構成と実質的に同一の構成、同一の作用効果を奏する構成又は同一の目的を達成することができる構成で置き換えてもよい。
【００４５】
例えば、上記においては、複数のフレキシブル基板３０３を第１のフレキシブル基板３０１及び第２のフレキシブル基板３０２の２種類で構成する場合について説明したが、図６に示すように、複数のフレキシブル基板３０３は、更に、第２の方向に沿ってＴＦＴ基板１０２からプリント基板３０４に延伸する略矩形形状の第３のフレキシブル基板６０１を含むように構成してもよい。
【００４６】
この場合、例えば、プリント基板３０４の両端に、第１及び第２のフレキシブル基板３０１、３０２を配置することで、上記と同様にプリント基板３０４の幅方向にスペース３０７を確保することができる。ただし、部品点数を削減し、製造工程を簡略化する観点からは、上記のように２種類のフレキシブル基板３０３で構成する方が望ましい。なお、図６においては、プリント基板３０４の両側にのみ、第１及び第２のフレキシブル基板３０１、３０２を配置する場合を示したが、その他の部分（両側を除く部分）に配置されるプリント基板３０４についても第１及び第２のフレキシブル基板３０１、３０２を用いてもよい。
【００４７】
また、上記においては、プリント基板３０４の両側にスペース３０７を確保する場合について説明したが、本実施の形態は、プリント基板３０４の片側のみにスペース３０７を確保することが望まれる場合にも適用できる。この場合、例えば、プリント基板３０４の幅を当該スペース３０７に応じて小さくし、当該スペース３０７に隣接するフレキシブル基板３０３に第１または第２のフレキシブル基板３０１、３０２を用いればよい。
【００４８】
更に、上記においては、説明の簡略化のため、６のソースドライバ１０４、３のゲートドライバ１０６、６の複数のフレキシブル基板３０３を用いて説明したが、表示パネル３００のサイズ等に応じて、その他の数のソースドライバ１０４等を用いてもよい。
【００４９】
[第２の実施形態]
次に、本発明の第２の実施形態について説明する。本実施の形態においては、タイミングコントローラ７０１（T-CON IC）の両側には、タイミングコントローラ７０１から遠ざかるように第１のフレキシブル基板３０１及び第２のフレキシブル基板３０２を配置する点が、主に、上記第１の実施形態として図示した構成と異なる。なお、下記において第１の実施形態と同様である点については説明を省略する。
【００５０】
図７は、本発明の第２の実施形態について説明するための図である。なお、図７は、図４に対応する図であり、本実施の形態における表示パネル３００の上面の概略を示す図である。
【００５１】
図７に示すように、プリント基板３０４の略中央には、タイミングコントローラ７０１が配置される。また、プリント基板３０４の所定の位置にコネクタ７０２(I/Fコネクタ)が配置される。なお、当該コネクタ７０２の位置は、例えば規格により規定されている。
【００５２】
ここで、本実施の形態においては、図７に示すように、当該タイミングコントローラ７０１の両側には、タイミングコントローラ７０１から遠ざかるように、第１のフレキシブル基板３０１、及び第２のフレキシブル基板３０２を配置する。具体的には、例えば、図７の左側から順に、ＡＡＢＡＢＢとなるように複数のフレキシブル基板３０３を配置する。なお、Ａ及びＢがそれぞれ第１のフレキシブル基板３０１及び第２のフレキシブル基板３０２に対応することは上記のとおりである。
【００５３】
ここで、上記第１の実施形態において、例えば、ＡＡＡＢＢＢのように配置した場合、図４からわかるようにプリント基板３０４の中央部のスペースが小さくなる。しかしながら、上記のように、本実施の形態においては、図７に示すように、タイミングコントローラ７０１の両側にタイミングコントローラ７０１から遠ざかるように、第１のフレキシブル基板３０１、及び第２のフレキシブル基板３０２を配置する。これにより、本実施の形態によれば、上記第１の実施形態と同様にプリント基板３０４両側のスペース３０７の確保を図ることができるとともに、タイミングコントローラ７０１を配置するスペース７０３を十分に確保することができる。これにより、プリント基板３０４の更なる小型化を図ることができ、結果として、表示装置１００全体の小型化を図ることができる。
【００５４】
本発明は、上記実施の形態に限定されるものではなく、上記実施の形態で示した構成と実質的に同一の構成、同一の作用効果を奏する構成又は同一の目的を達成することができる構成で置き換えてもよい。
【００５５】
例えば、上記においては、一例として、図７の左から順に、ＡＡＢＡＢＢの順に複数のフレキシブル基板３０３を配置したが、タイミングコントローラ７０１の両側には、タイミングコントローラ７０１から遠ざかるように第１のフレキシブル基板３０１及び第２のフレキシブル基板３０２を配置する限り、ＡＢＢＡＡＢ等他の順序で配置してもよい。なお、上記第１の実施形態と同様に、プリント基板３０４の中央線に対して、対象となるように配置し、また、第１及び第２のフレキシブル基板３０１、３０２の数が同一の数とすることが望ましい点等は上記と同様である。
【００５６】
[第３の実施形態]
次に、本発明の第３の実施形態について説明する。本実施の形態においては、コネクタ７０２の両側にコネクタ７０２から遠ざかるように、第１のフレキシブル基板３０１及び第２のフレキシブル基板３０２を配置する点が、上記第１及び第２の実施形態として図示した構成と異なる。なお、下記において第１及び第２の実施形態と同様である点については説明を省略する。
【００５７】
図８は、本発明の第３の実施形態について説明するための図である。なお、図８は、図４に対応する図であり、本実施の形態における表示パネル３００の上面の概略を示す図である。
【００５８】
図８に示すように、プリント基板３０４の所定の位置には、コネクタ７０２が配置される。なお、当該コネクタ７０２の所定の位置は、例えば、規格により定まっている。ここで、当該コネクタ７０２の両側には、当該コネクタ７０２から遠ざかるように、第１のフレキシブル基板３０１、及び第２のフレキシブル基板３０２が配置される。つまり、図８に示すように、コネクタ７０２の右側には、第１のフレキシブル基板３０１を配置し、コネクタ７０２の左側には、第２のコネクタ７０２を配置する。具体的には、図８に示すように、例えば、プリント基板３０４の左側から順に、ＡＢＡＢＢＢとなるように配置する。
【００５９】
本実施の形態によれば、コネクタ７０２を配置するスペース８０１を十分に確保することができる。よって、上記第１及び第２の実施形態と同様にプリント基板３０４両側のスペース３０７の確保を図ることができるとともに、プリント基板３０４の小型化を図ることができ、結果として、表示装置１００全体の小型化を図ることができる。
【００６０】
本発明は、上記実施の形態に限定されるものではなく、上記実施の形態で示した構成と実質的に同一の構成、同一の作用効果を奏する構成又は同一の目的を達成することができる構成で置き換えてもよい。
【００６１】
例えば、上記においては、一例として、プリント基板３０４の左側から順に、ＡＢＡＢＢＢとなるように配置する場合について説明したが、上記第２の実施形態と同様に、コネクタ７０２の両側にコネクタ７０２から遠ざかるように、第１のフレキシブル基板３０１及び第２のフレキシブル基板３０２を配置する限り、その他の配置、例えば、ＡＢＡＢＡＢのように配置してもよい。なお、プリント基板３０４の中央線に対して、対称となるように配置し、また、第１及び第２のフレキシブル基板３０１、３０２の数が同一の数とすることが望ましい点等は上記のとおりである。
【００６２】
[第４の実施形態]
次に、本発明の第４の実施形態について説明する。本実施の形態においては、主に、コネクタ７０２の両側にコネクタ７０２から遠ざかるように、第１のフレキシブル基板３０１及び第２のフレキシブル基板３０２を配置するとともに、タイミングコントローラ７０１の両側には第１のフレキシブル基板３０１を配置する点が、主に、上記第１乃至第３の実施形態として図示した構成と異なる。なお、第１乃至第３の実施形態と同様である点については説明を省略する。
【００６３】
図９は、本発明の第４の実施形態について説明するための図である。なお、図９は、図４に対応し、本実施の形態における表示パネル３００の上面の概略を示す図である。
【００６４】
図９に示すように、上記第３の実施形態と同様に、プリント基板３０４の所定の位置には、コネクタ７０２が配置される。ここで、当該コネクタ７０２の両側には、当該コネクタ７０２から遠ざかるように、第１のフレキシブル基板３０１、及び、第２のフレキシブル基板３０２が配置される。つまり、図９に示すように、コネクタ７０２の右側には、第１のフレキシブル基板３０１を配置し、コネクタ７０２の左側には、第２のコネクタ７０２を配置する。また、タイミングコントローラ７０１の両側には、第１のフレキシブル基板３０１を配置する。
【００６５】
つまり、図９に示すように、コネクタ７０２のタイミングコントローラ７０１の間に配置されるフレキシブル基板３０２は、コネクタ７０２から遠ざかるように配置されるとともに、タイミングコントローラ７０１には近づくように配置される。ここで、図９に示すように、タイミングコントローラ７０１が必要とするスペース７０３は、コネクタ７０２が必要とするスペース８０１よりも大きい。
【００６６】
上記のように、本実施の形態においては、例えば、図９に示したプリント基板３０４の左側から順に、ＡＢＡＡＢＢの順に複数のフレキシブル基板３０３を配置する。そして、左から２番目の第２のフレキシブル基板３０２と、左から３番目に配置される第１のフレキシブル基板３０１との間にコネクタ７０２が配置され、左から３番目に配置される第１のフレキシブル基板３０１と４番目に配置される第１のフレキシブル基板３０１との間にタイミングコントローラ７０１が配置される。
【００６７】
本実施の形態によれば、上記第１乃至第３の実施形態と同様にプリント基板３０４両側のスペース３０７の確保を図ることができるとともに、コネクタ７０２を配置するスペース８０１を確保することができ、また、タイミングコントローラ７０１を配置するスペース７０３を確保することができる。これにより、上記第１乃至第３の実施形態と比べ、プリント基板３０４の小型化を図ることができ、結果として、表示装置１００全体の小型化を図ることができる。
【００６８】
なお、例えば、図９に示すように、第１のフレキシブル基板３０１と第２のフレキシブル基板３０２の数を同じ数とすることが望ましい。これにより、製造工程の簡略化等を図ることができる。
【００６９】
更に、上記のようにＡＢＡＡＢＢの順序で複数のフレキシブル基板３０３を配置することにより、製造工程またはバックライトにより生じる熱収縮によりプリント基板３０４に加わる応力の均一化を図ることができる。これにより、複数のフレキシブル基板３０３やプリント基板３０４の歪の発生を抑制することができる。
【００７０】
本発明は、上記実施の形態に限定されるものではなく、上記実施の形態で示した構成と実質的に同一の構成、同一の作用効果を奏する構成又は同一の目的を達成することができる構成で置き換えてもよい。
【００７１】
例えば、上記においては、図９の左側から順にＡＢＡＡＢＢの順序で複数のフレキシブル基板３０３を配置する場合について説明したが、主に、コネクタ７０２の両側にコネクタ７０２から遠ざかるように、第１のフレキシブル基板３０１及び第２のフレキシブル基板３０２を配置し、タイミングコントローラ７０１の両側には第１のフレキシブル基板３０１及び第２のフレキシブル基板３０２を配置する限り、その他の順序で配置してもよい。例えば、コネクタ７０２をプリンタ基板の中央線に対して、逆側に配置するとともに、ＡＡＢＢＡＢの順序で複数のフレキシブル基板３０３を配置してもよい。なお、この場合、第１及び第２のフレキシブル基板３０１、３０２の数が同一の数とすることが望ましい点等は上記と同様である。
【符号の説明】
【００７２】
１００  表示装置、１０１  フィルタ基板、１０２  ＴＦＴ基板、１０３  バックライト、１０４  ソースドライバ、１０５  ゲート信号線、１０６  ゲートドライバ、１０７  映像信号線、１０８  コモン信号線、１０９  ＴＦＴ、１１０  画素電極、１１１  コモン電極、３０１  第１のフレキシブル基板、３０２  第２のフレキシブル基板、３０３  フレキシブル基板、３０４  プリント基板、３０５  偏光板、６０１  第３のフレキシブル基板、７０１  タイミングコントローラ、７０２  コネクタ。
【図１】
2014186162.tif 000003
【図２】
2014186162.tif 000004
【図３】
2014186162.tif 000005
【図４】
2014186162.tif 000006
【図５】
2014186162.tif 000007
【図６】
2014186162.tif 000008
【図７】
2014186162.tif 000009
【図８】
2014186162.tif 000010
【図９】
2014186162.tif 000011